(57)【要約】      （修正有）【課題】情報処理端末において視聴番組とデータ放送を混成視聴している場合に、データ放送から取得する配信サーバのコンテンツ視聴アクセス情報を用いて、ネットワーク上の配信サーバのコンテンツ再生を行う場合、配信サーバのコンテンツ再生期間は視聴中の番組が見られない期間が発生してしまうため、配信サーバのコンテンツ再生終了後に視聴中だった番組を継続して見ることができる手段を提供する。【解決手段】情報処理端末は、番組とデータ放送の混成画面を視聴中にデータ放送から取得する配信サーバのコンテンツ視聴アクセス情報を用いて、ネットワーク上の配信サーバのコンテンツを再生開始する場合、視聴中番組の自動録画を行う手段と、配信サーバのコンテンツ再生を終了する時に録画した視聴中番組の再生を行う手段を備えることによって、視聴中番組の内容が継続視聴できるようにする。【選択図】図３
2011082640.tif 000002
【特許請求の範囲】
【請求項１】
放送局から放送される番組及び番組に付随する放送データを受信する受信部と、
受信部で受信された放送データに基づいて、サーバから配信されるコンテンツを取得する取得部と、
前記受信部で受信された番組及び放送データ、あるいは、前記取得部で取得されたコンテンツを表示する表示部と、
前記受信部で受信された番組を記録する記録部と、
前記表示部で表示された番組及び放送データを視聴しているユーザが放送データに基づいてサーバから配信されるコンテンツの視聴を指示すると、視聴している番組を前記記録部に記録させるとともに、サーバから配信されるコンテンツを前記取得部に取得させ、取得されたコンテンツを再生して、前記表示部に表示させる制御部とを備えることを特徴とする情報処理装置。
【請求項２】
前記制御部は、コンテンツの再生が終了すると、前記記録部に記録された番組を再生して前記表示部に表示させるか、あるいは、前記受信部で受信されている番組を前記表示部に表示させることを特徴とする請求項１に記載の情報処理装置。
【請求項３】
前記制御部は、コンテンツの再生が終了すると、前記記録部に記録された番組を再生して前記表示部に表示させるか、あるいは、前記受信部で受信されている番組を前記表示部に表示させるかを問い合わせる画面を前記表示部に表示させることを特徴とする請求項２に記載の情報処理装置。
【請求項４】
前記制御部は、ユーザが放送データに基づいてサーバから配信されるコンテンツの視聴を指示すると、視聴している番組を前記記録部に記録させるかどうかを問い合わせる画面を前記表示部に表示させることを特徴とする請求項２に記載の情報処理装置。
【請求項５】
前記制御部は、視聴している番組を前記記録部に記録させない場合に、前記受信部で受信されている番組を前記表示部に表示させることを特徴とする請求項４に記載の情報処理装置。
【請求項６】
前記制御部は、視聴している番組を前記記録部に記録させることをユーザに提示する画面を前記表示部に表示させることを特徴とする請求項１に記載の情報処理装置。
【請求項７】
前記記録部に記録された番組を再生して前記表示部に表示させるか、あるいは、前記受信部で受信されている番組を前記表示部に表示させるかは、予めユーザによりどちらかに設定可能であり、前記制御部は、設定されたいずれかを実行することを特徴とする請求項２に記載の情報処理装置。
【発明の詳細な説明】
【技術分野】
【０００１】
本発明は、放送局やネットワークを介して放送される番組を視聴・録画する機能を有する機器が、番組視聴中にネットワークを経由して他のコンテンツを再生する場合の、視聴中番組の録画やコンテンツ再生後の録画した視聴中番組の再生を制御する機能に関するものである。
【背景技術】
【０００２】
テレビ放送のデジタル化に伴いデジタル放送対応TVの高性能化が進んでいる。たとえば、放送番組に付随して送信されるデータ放送をブラウザ機能で閲覧することにより、番組関連情報や気象情報などが番組視聴と同時にできるTVがある。また、放送される番組の視聴とは別に、ブラウザ機能によりTV向けポータルサービスにアクセスすることで、ネットワークを介して配信サーバ上にあるコンテンツを視聴できるTVもある。
【０００３】
このように、高機能化したTVは放送番組の視聴とネットワーク上の配信サーバにあるコンテンツの視聴が可能になり、非常に多くのコンテンツを使用できるようになった。
【０００４】
しかし、TVに提供されている放送番組の視聴と配信サーバにあるコンテンツの視聴を機能的に連続して行える連携機能は無く、放送番組の視聴は選局機能で行い、配信サーバのコンテンツ視聴は例えばブラウザ機能を用いたポータルサイトアクセスによるメニュー選択からコンテンツを選ぶ方法になっており、選局機能とブラウザ機能といった独立機能を切り替えて視聴するのが普通であり、放送と通信が融合した視聴環境が提供されているとは言いがたい状態にある。
【０００５】
これらの放送番組と配信サーバ上のコンテンツの選択が独立していて使い勝手が悪いという問題を考慮して、特開2007−180688に開示された発明では、放送番組用のＥＰＧ(Electrical Program Guide)の画面と配信サーバ上のコンテンツを選択するメニューを統合し、放送番組と配信サーバ上のコンテンツ選択を同一画面で行い、番組・コンテンツ選択時の利便性を向上させている。
【先行技術文献】
【特許文献】
【０００６】
【特許文献１】特開２００７−１８０６８８号公報
【発明の概要】
【発明が解決しようとする課題】
【０００７】
しかしながら、特許文献１に開示された発明では、放送番組と配信サーバ上のコンテンツが一覧表示される選択画面を起動する必要があると共に、同一画面上で放送番組と配信サーバ上のコンテンツの選択を行って視聴・再生することができるだけであり、放送番組と配信サーバのコンテンツ再生をシームレスに行うことは考慮されていない。例えば、放送番組視聴中に配信サーバのコンテンツ再生へ移行したり、配信サーバのコンテンツ再生終了と同時に保持しているコンテンツの再生や、放送番組の選局を行うことまでは考慮されていない。
【０００８】
本発明の目的は、放送番組を視聴中にネットワークに接続された配信サーバ上のコンテンツを再生する場合に、視聴中の放送番組を後で視聴可能なように録画すると共に、配信サーバ上のコンテンツの再生終了時点で、録画していた放送番組の再生や放送番組の選局が容易に行えるようにすることである。
【課題を解決するための手段】
【０００９】
上記目的を達成するため、本発明の情報処理装置は、放送局から放送される番組及び番組に付随する放送データを受信する受信部と、受信部で受信された放送データに基づいて、サーバから配信されるコンテンツを取得する取得部と、前記受信部で受信された番組及び放送データ、あるいは、前記取得部で取得されたコンテンツを表示する表示部と、
前記受信部で受信された番組を記録する記録部と、前記表示部で表示された番組及び放送データを視聴しているユーザが放送データに基づいてサーバから配信されるコンテンツの視聴を指示すると、視聴している番組を前記記録部に記録させるとともに、サーバから配信されるコンテンツを前記取得部に取得させ、取得されたコンテンツを再生して、前記表示部に表示させる制御部とを備える。
【発明の効果】
【００１０】
以上説明したように本発明によれば、放送番組視聴中にネットワーク上の配信サーバのコンテンツを再生する場合には、視聴中の番組は自動録画され、配信サーバのコンテンツ再生を終了した時には、自動録画した番組の再生を開始することができる。
【００１１】
従って、放送番組を視聴中にネットワーク上の配信サーバのコンテンツ再生を行っても、視聴中の番組は自動録画されるので番組を見逃すことはなくなる。また、配信サーバのコンテンツ再生終了時には、視聴を中断し自動録画された番組の再生を容易に行えることから、配信サーバのコンテンツ再生を挟んだ番組の継続視聴が容易に行えるようになる。
【００１２】
すなわち、放送番組とネットワーク上の配信サーバのコンテンツ再生による視聴を混在して行うことができ、使い勝手も向上する。
【図面の簡単な説明】
【００１３】
【図１】情報処理端末の内部構成と周辺機器との接続構成図である。
【図２】情報処理端末が表示装置に出力する画面の一例である。
【図３】番組視聴中に配信サーバのコンテンツを再生する場合の処理フローである。
【図４】視聴中番組を録画する場合の録画制御処理フローである。
【図５】視聴中番組を録画する時に作成する録画リストの一例である。
【図６】配信サーバのコンテンツ再生を終了する場合の処理フローである。
【図７】配信サーバのコンテンツ再生を終了する時に表示する画面の一例である。
【図８】視聴中番組を録画するかどうか選択する場合の処理フローの一例である。
【図９】視聴中番組を録画するかどうか表示する場合の画面の一例である。
【図１０】視聴中番組録画を行わない場合を考慮した配信サーバのコンテンツ再生を終了する場合の処理フローである。
【図１１】視聴中番組を録画する場合の録画制御処理フローである。
【図１２】視聴中番組を録画することを通知する画面の一例である。
【図１３】コンテンツ再生終了時の処理を指定する制御値の例である。
【図１４】配信サーバのコンテンツ再生を終了する場合の処理フローである。
【発明を実施するための形態】
【００１４】
以下、本発明の実施の形態を図面に基づいて詳細に説明する。
【実施例１】
【００１５】
図１は本発明の実施例１による情報処理端末の機能ブロックと外部機器との接続形態について示している例である。
【００１６】
図１において情報処理端末１はチューナ部１００、表示制御部１１０、制御部１２０、通信部１３０、入力部１４０、記憶部１５０によって構成されている。チューナ部１００はアンテナにより受信した放送電波の情報を処理でき、通信部１３０はネットワークを介して配信サーバなどから映像・音声などのコンテンツ情報を取得することができる。情報処理端末１の処理した結果は表示装置１６０へ出力される。
【００１７】
制御部１２０は、再生制御部１２１、コンテンツ管理部１２２、録画制御部１２３、記録制御部１２４で構成されている。
【００１８】
再生制御部１２１は、チューナ部１００から取得する番組データや放送データ、通信部１３０がネットワーク２を介して取得するコンテンツデータ・コンテンツ関連データや記憶部１５０に保存しているコンテンツの再生を行う制御部である。
【００１９】
コンテンツ管理部１２２は、記録制御部１２４が記録部１５０に保存するコンテンツに関する管理データを扱う部分である。
【００２０】
録画制御部１２３は、他の制御部からの要求に従いチューナ部１００や通信部１３０を介して取得する番組・コンテンツを記録制御部１２４を介して記憶部１５０にコンテンツとして保存させる制御と、保存コンテンツを管理するためのリストをコンテンツ管理部１２２に記録させる制御を行う。
【００２１】
記録制御部１２４は、保存を指示されたコンテンツに関するデータを記憶部１５０へ保存する制御を行う。
【００２２】
通信部１３０は、制御部１２０からの要求に従い、ネットワーク２を介して配信サーバ３からネットワークプロトコルを用いてコンテンツ取得などを行う部分である。
【００２３】
入力部１４０は、図示していないリモコンなどからの情報処理端末１への操作指示を受信して制御部１２０へ通知する部分であり、リモコンなどとの接続は有線・無線、赤外線やBluetoothなど、いろいろな通信方式に対応する。
【００２４】
記憶部１５０は、視聴番組などを録画する時にコンテンツとしてデータを保存する記憶領域であり、不揮発性メモリやHDDなどで構成する。また、コンテンツデータだけでなくコンテンツ管理リストやコンテンツ関連データなどの保存にも使用可能である。
【００２５】
表示装置１６０は、情報処理端末１が作成する再生画面やＯＳＤ(On Screen Display)画面といった画面情報を表示する装置である。
【００２６】
ネットワーク２は、インターネットなどの通信網であり、そこに接続される配信サーバ３から情報処理端末１へコンテンツに関する映像・音声データや放送データを配信することが可能である。
【００２７】
配信サーバ３は、コンテンツの配信を行うことができるサーバであり、放送スケジュールに沿って番組の配信を行ったり、ユーザからのコンテンツ配信要求があった場合に配信要求で指定されたコンテンツ配信することができる。
【００２８】
放送局４は、放送スケジュールに沿って番組を放送電波で送信する局である。
【００２９】
次に、本実施例１を説明するための画面情報と処理フローを図２〜図７を用いて説明する。
【００３０】
図２は、表示装置１６０に表示された画面であり、放送番組の視聴画面の他にデータ放送で取得した文字情報や、配信サーバ３のコンテンツを再生するためのメニュー画面が表示されている。放送番組のデータには、コンテンツとしての映像・音声データの他にデータ放送と言われる関連データが含まれる。データ放送のデータには、番組に関連する文字や画像情報のデータの他に、放送番組と配信サーバ３に格納されているコンテンツとを関連付ける視聴アクセス情報などが含まれ、視聴アクセス情報をもとに配信サーバ３のコンテンツを再生可能である。
【００３１】
視聴画面２００は、通常の画面サイズで表示される視聴画面が、データ放送の情報を表示するために縮小して子画面表示している状態である。文字情報２０１は、子画面に表示している視聴番組に関する文字情報を表示した例である。視聴ボタン２０２は、データ放送の情報をもとに作成された配信サーバ３のコンテンツを再生指示するためのボタンであり、このボタンが選択・決定されると情報処理端末１は配信サーバ３のコンテンツを再生することができる。例えば、図示していないリモコンの上下左右ボタンなどで図２の画面上の視聴ボタン２０２へカーソルのフォーカスを移動して選択し、リモコン上の決定ボタンを押下すると、視聴を実行するように情報処理端末１へ通知される。
【００３２】
図３、図４は図２の画面の視聴ボタン２０２を選択・決定した場合に配信サーバ３のコンテンツ再生を行うまでの処理フローを示したものである。ここでは、視聴ボタン２０２が選択・決定されコンテンツ再生が指示された場合は、情報処理端末１は配信サーバ３からコンテンツを取得して再生を行う。
【００３３】
図３の処理フローについて説明する。
【００３４】
ステップ３００は図２の視聴ボタン２０２が選択され、視聴のためにボタン押下された場合の処理である。図１の入力部１４０は図示していないリモコンによって視聴ボタン２０２にフォーカスがある状態で、決定ボタン押下が行われた場合にボタン押下の情報を制御部１２０へ通知する。制御部１２０は入力部１４０からのボタン押下情報から配信サーバ３のコンテンツ再生と解釈する。
【００３５】
ステップ３０１は、配信サーバ３のコンテンツを再生するにあたり、視聴中番組の録画を制御部１２０が録画制御部１２３へ処理させる部分であり、図４の処理フローの説明で処理を説明する。
【００３６】
ステップ３０２は再生制御部１２１を用いて、配信サーバ３のコンテンツを再生し表示制御部１１０を介して表示装置１６０にコンテンツ再生映像を表示する処理である。
【００３７】
図４の処理フローは図３のステップ３０１で視聴番組の録画を指示された録画制御部１２３の処理を示している。
【００３８】
ステップ４００は視聴中番組の録画を行うに当たり、既に同一番組の録画を行っているか否かを判定する処理である。この処理は重複録画を行わないための処理であり、図５に示す視聴中番組録画リストをチェックすることで判別できる。
【００３９】
同一番組の録画を既に開始している場合は録画処理を行わず、処理フローを終了する。同一番組の録画を開始していない場合は、次のステップ４０１へ処理を移行する。
【００４０】
ステップ４０１は、ユーザが視聴中であった番組について、記録制御部１２４を用いて記憶部１５０へ録画を開始する処理である。
【００４１】
ステップ４０２は、録画制御部１２３の指示により記録制御部１２４が記憶部１５０へ録画を始めた番組の情報をコンテンツ管理部１２２に視聴中番組録画リストとして保存させる処理である。
【００４２】
ここで、視聴中番組録画リストに関して図５を用いて説明する。図５は視聴中番組録画リストであり、コンテンツ管理部１２２が管理する録画リストである。
【００４３】
ＩＤ５００は番組を特定するユニークＩＤであり、放送される番組を特定できる情報として放送番組関連データから抽出して使用する。このＩＤによってステップ４００では同一番組の録画チェックなどを行うことができる。
【００４４】
ステータス５０１は録画コンテンツの状態を示し、録画を行っている時には「録画中」と設定し、録画が終了したときには「完了」と設定することで視聴番組録画状態を確認できるようにしている。ＣＨ番号５０２は録画している番組のチャンネル番号であり、たとえば番組の放送形態が電波ではなくネットワークを介した放送であった場合には、ＣＨ番号５０２の情報はURLの形態になることもある。番組名５０３は録画番組の番組名を表す文字列である。開始時間５０４は録画番組に関連するデータなどから取得する番組の放送開始時間であり、番組終了時間５０６は番組放送の終了時間である。録画開始時間５０５は視聴中番組として番組の録画を開始した時間である。リスト５０７は本実施例で録画を開始した視聴中番組録画に関するリスト情報である。
【００４５】
ステップ４０３は、視聴中番組録画の録画処理の終了を監視する処理であり、コンテンツ管理部１２２が作成した視聴中番組録画リストのリスト５０７の番組終了時間５０６を監視して終了時間に達した場合には、ステップ４０４へ処理を移行する。また、他制御部などから終了を指示された場合には、番組終了時間前であっても、ステップ４０４へ移行する。
【００４６】
ステップ４０４は、録画中の視聴中番組の録画を終了する処理を行う。
【００４７】
ステップ４０５は、視聴中番組録画を終了したので、コンテンツ管理部１２２が管理、している視聴中番組録画リスト５０７のステータス５０１を「録画中」から「完了」に変更する。
【００４８】
次に放送番組視聴中に再生を開始した配信サーバ３のコンテンツ再生を終了する時の処理について図６、図７を用いて説明する。
【００４９】
図６は配信サーバ３のコンテンツ再生を終了する場合の処理フロー図である。
【００５０】
ステップ６００はコンテンツを最後まで再生した場合やユーザ操作により再生停止を指示された場合に再生停止処理の指示を受ける部分である。
【００５１】
ステップ６０１は、再生制御部１２１がコンテンツの再生処理を終了する部分であり、配信サーバ３からのコンテンツデータ取得をやめ、動画・音声のデコード処理を停止する。
【００５２】
ステップ６０２は、コンテンツ再生終了後の画面遷移を問い合わせる処理であり、コンテンツ再生前に視聴していたチャンネルに選局するか、コンテンツ再生時に録画を開始した番組の再生を行うかを問い合わせる画面表示を行う。この画面を図７に示す。
【００５３】
図７は配信サーバ３のコンテンツ再生を終了したときに表示する画面の一例である。ＯＳＤ画面７００はコンテンツ再生を終了したことと、視聴中番組録画によって録画されているリスト５０７のコンテンツを再生するか、配信サーバ３のコンテンツを再生する際に視聴していたチャンネルを選局するかを問い合わせる画面である。
【００５４】
再生ボタン７０１は、リスト５０７に登録してある視聴中番組録画を行ったコンテンツを再生するための選択ボタンである。
【００５５】
選局ボタン７０２は、配信サーバ３のコンテンツを再生する前に選局していたチャンネルを選局するための選択ボタンである。
【００５６】
ステップ６０３は、図７で表示する画面を元にユーザが選択したボタンに従って、処理を分岐する部分である。再生ボタン７０１を選択・決定した場合はステップ６０４へ、選局ボタン７０２を選択・決定した場合はステップ６０５へ処理を移行する。
【００５７】
ステップ６０４は、リスト５０７に登録されている視聴中番組録画によって録画されたコンテンツの再生を再生制御部１２１によって行う。
【００５８】
ステップ６０５は、配信サーバ３のコンテンツを再生する時に視聴していた番組を放送しているチャンネルを選局して番組視聴できるようにする処理である。
【００５９】
以上説明したように、本発明の実施例１によれば、放送番組を視聴中にデータ放送などの操作によって配信サーバにあるコンテンツを再生する場合に、配信サーバのコンテンツを再生する際に視聴中だった番組の録画が行われ、配信サーバのコンテンツ再生を終了する際に録画している視聴中番組の再生をシームレスに行えるようになる。
【００６０】
従って、例えば、番組視聴中にデータ放送を表示することで番組の前回放送分の再生が可能である場合に、そのまま配信サーバ上の前回放送分の番組を再生するとともに、今回放送分の番組を録画しておき、前回放送分の番組の再生が終了した後に、録画した今回放送分の番組を再生することができる。
【００６１】
すなわち、放送番組と配信サーバ上のコンテンツを利用して、時系列に近い形の番組視聴も可能となる。
【００６２】
なお、実施例１では、放送番組の送信元を主に放送局としているが、送信元がネットワークを介した配信サーバであっても良い。
【実施例２】
【００６３】
実施例１では、放送番組視聴中に配信サーバのコンテンツを再生する場合には自動的に視聴中放送番組の録画を行っていた。しかし、配信サーバのコンテンツ再生を行う際に、視聴中番組の録画を必要としない場合がある。
【００６４】
そこで、実施例２では、配信サーバのコンテンツ再生を行う際に、視聴中番組の録画を行うかどうかをユーザに選択させ、配信サーバのコンテンツ再生を終了する時に、録画した視聴中番組があれば、実施例１と同様に再生および選局の問い合わせを行い、録画した視聴中番組が無ければ自動的に選局操作を行うようにする。
【００６５】
図８は実施例１における図３のフローに対して、ステップ８００とステップ８０１を追加したものである。
【００６６】
ステップ８００では、視聴中番組の録画を行うか否かを問い合わせる表示をすべく、図９のような画面の出力処理を行う。
【００６７】
図９は、図２の画面に録画をするボタン９０１、録画をしないボタン９０２を表示するＯＳＤ画面９００を追加した画面である。録画するボタン９０１は、視聴中である番組を配信サーバ３のコンテンツ再生する際に録画することを指示するボタンであり、録画しないボタン９０２は、配信サーバ３のコンテンツ再生する際に視聴中番組の録画は行わないことを指示するボタンである。
【００６８】
ステップ８０１では、ＯＳＤ画面９００内で、録画するボタン９０１が選択・決定された場合にはステップ３０１へ移行し、録画しないボタン９０２が選択・決定された場合にはステップ３０２へ移行する。
【００６９】
以上により、配信サーバ３のコンテンツを再生する前にユーザによって視聴中番組の録画を行うか否かを選択することができる。
【００７０】
次に、配信サーバ３のコンテンツ再生を終了する際の処理について図１０の処理フローを用いて説明する。
【００７１】
図１０では、図６に対して、ステップ６０１とステップ６０２の間にステップ１０００が追加されている。
【００７２】
ステップ１０００では、図５に示す視聴中番組録画リストを確認することによって、配信サーバ３のコンテンツ再生時に視聴中番組録画が行われたのか確認する。ここで、図５の視聴中番組録画リストにリスト情報が無ければ録画は行われていないので、次の処理はステップ６０５になり自動的に配信サーバ３のコンテンツ再生前に視聴していたチャンネルへの選局となる。図５の視聴番組録画リストにリスト５０７のようなリスト情報があれば、視聴中番組録画を行ったことになるのでステップ６０２へ処理を移し、実施例１と同様の処理を行う。
【００７３】
以上説明したように、実施例２では、配信サーバ３のコンテンツ再生を行う場合の視聴中番組録画がユーザの選択によって行えるようになる。また、配信サーバ３のコンテンツ再生終了時に、視聴中番組録画が行われない場合は、配信サーバ３のコンテンツ再生前に視聴していたチャンネルへ自動的に選局できる。
【実施例３】
【００７４】
実施例３では、放送番組視聴中に配信サーバのコンテンツを再生する場合には自動的に視聴中放送番組の録画を行う実施例１に対して、ユーザに録画の開始を知らせる機能を追加し、ユーザが録画を認識できるようにする。
【００７５】
また、視聴中番組の録画を行い、配信サーバのコンテンツの再生を終了した時に、配信サーバのコンテンツ再生開始時に録画した番組を再生するか、配信サーバのコンテンツ再生を開始する時に視聴していたチャンネルを選局するかの選択を、制御値として設定し、自動的に選択されるようにする。
【００７６】
図１１は、図４の処理フローに対し、ステップ４０２とステップ４０３の間にステップ１１００の処理を追加した処理フローである。
【００７７】
ステップ１１００では、ステップ４０２までの処理で視聴中番組の録画を開始したことをユーザに通知するため、図１２に示すような録画開始を知らせるＯＳＤ画面を一定期間表示する。
【００７８】
図１２のＯＳＤ画面１２００では、視聴中番組の録画を開始したことをユーザに通知するための文字情報を表示している。
【００７９】
以上のように、放送番組視聴中に配信サーバのコンテンツ再生により視聴できなくなった番組の録画が自動的に開始されたことをユーザに知らせることができる。
【００８０】
図１３は、ユーザがその内容を設定可能な再生終了時制御情報１３００である。制御情報の内容１３０１が「再生」と設定されている場合には、配信サーバのコンテンツ再生時に録画を開始した番組が再生される。また、制御情報の内容１３０１が「選局」と設定されている場合には、配信サーバのコンテンツ再生時に視聴していたチャンネルが選局される。
【００８１】
図１４は、図６に対し、ステップ６０２を削除し、ステップ６０３を、ステップ１４００に変更した処理フローである。
【００８２】
ステップ１４００では、再生終了時制御情報１３００を取得し、その内容１３０１が「再生」であればステップ６０４へ、「選局」であればステップ６０５へ処理を移行する。
【００８３】
以上のように、配信サーバのコンテンツの再生を終了した時に、配信サーバのコンテンツ再生開始時に録画した番組を再生するか、配信サーバのコンテンツ再生を開始する時に視聴していたチャンネルを選局するかを、自動的に決定することができる。
【符号の説明】
【００８４】
１・・・情報処理端末
２・・・ネットワーク
３・・・配信サーバ
４・・・放送局
１００・・・チューナ部
１１０・・・表示制御部
１２０・・・制御部
１３０・・・通信部
１４０・・・入力部
１５０・・・記憶部
１６０・・・表示装置
１２１・・・再生制御部
１２２・・・コンテンツ管理部
１２３・・・録画制御部
１２４・・・記録制御部
【図１】
2011082640.tif 000003
【図２】
2011082640.tif 000004
【図３】
2011082640.tif 000005
【図４】
2011082640.tif 000006
【図５】
2011082640.tif 000007
【図６】
2011082640.tif 000008
【図７】
2011082640.tif 000009
【図８】
2011082640.tif 000010
【図９】
2011082640.tif 000011
【図１０】
2011082640.tif 000012
【図１１】
2011082640.tif 000013
【図１２】
2011082640.tif 000014
【図１３】
2011082640.tif 000015
【図１４】
2011082640.tif 000016